【手続補正書】
【提出日】平成20年2月14日(2008.2.14)
【手続補正１】
【補正対象書類名】特許請求の範囲
【補正対象項目名】全文
【補正方法】変更
【補正の内容】
【特許請求の範囲】
【請求項１】
所定の間隔で複数の主ブラケットが壁面に固定設置され、前記主ブラケットの前面には補助ブラケットが設けられ、前記補助ブラケットの前面には角枠が設けられ、前記角枠の上部には石膏ボードが設けられ、前記角枠の前面には第１フレームが設けられるとともに上面には層間断熱消音材が設けられ、前記第１フレームの上面には、両側面に結合具を有し、中央突出部にプレート結合部を有する第２フレームが設けられ、前記第２フレームの上面には暖房用パイプ及び床材が設けられ、前記床材の上面には水脈波防止板及び床上板が設けられ、前記角枠の前面に仕上げ枠が固定されることを特徴とする、建物の室内の角部位の構造物。
【請求項２】
前記主ブラケットの後面は平面で、壁面と密着し、前面の上下部には、中央に雌ねじを備えた雄ネジが突出し、前記雄ネジには、外周面にナーリング加工された垂直調整用ナットが螺合され、前記垂直調整用ナットの前面には補助ブラケットがボルトで固定することを特徴とする、請求項１に記載の建物の室内の角部位の構造物。
【請求項３】
前記補助ブラケットの上下部には、垂直高さを調節するための長孔が形成され、下側には、角枠を支えるための支持突片と、前記支持突片の前面から上部に突出する係止段とが形成されることを特徴とする、請求項１または２に記載の建物の室内の角部位の構造物。
【請求項４】
前記角枠は、金属または合成樹脂からなり、一定の型によって連続的に生産可能であることを特徴とする、請求項１に記載の建物の室内の角部位の構造物。
【請求項５】
前記第１フレームは、中間のアンカーボルトによって水平状態を維持するように設けられることを特徴とする、請求項１に記載の建物の室内の角部位の構造物。
【請求項６】
前記仕上げ枠は表面が美装されており、下側に伸びる突出部の後部の溝が角枠の前面折曲部に結合されるようになり、中間には固定溝が形成され、前記角枠の折曲部に形成された突出段と結合されることを特徴とする、請求項１または２に記載の建物の室内の角部位の構造物。
【請求項７】
前記第１フレームは、アンカーボルトにより床面から所定の間隔で離隔することを特徴とする、請求項１に記載の建物の室内の角の部構位造物。
【請求項８】
建物の室内の床及び壁面を施工する方法において、
壁面の最下端の四方に主ブラケットを、一定の高さを維持するように施工する工程と、
前記工程の後、前面に補助ブラケットを設ける工程と、
前記工程の後、前記補助ブラケットを垂直に調整した後、前面に突出する支持突片に角枠を合せて組立てる工程と、
前記工程の後、床に第１フレームを施工し、アンカーボルトを用いて水平に合せる工程と、
前記工程の後、前記第１フレームの上面に層間断熱消音材を施工する工程と、
前記工程の後、前記層間断熱消音材の上面に第２フレームを施工する工程と、
前記工程の後、前記第２フレーム上部に暖房用パイプを設ける工程と、
前記工程の後、前記暖房用パイプの上面に床材を施工する工程と、
前記工程の後、前記床材の上面に水脈波防止板を施工する工程と、
前記工程の後、前記水脈波防止板の上面に床上板を施工する工程と、
前記工程の後、前記角枠の上部の挿入溝に石膏ボードを挿入し、前記角枠の前面に仕上げ枠を組立てる工程と、からなることを特徴とする、建物の室内の角部位の施工方法。
【請求項９】
前記水脈波防止板を施工する工程において、前記水脈波防止板の下部に炭マットを敷設する工程をさらに含むことを特徴とする、請求項８に記載の建物の室内の角部位の施工方法。
【手続補正２】
【補正対象書類名】明細書
【補正対象項目名】全文
【補正方法】変更
【補正の内容】
【発明の詳細な説明】
【発明の名称】建物の室内の角部位の構造物及び施工方法
【技術分野】
【０００１】
本発明は、建物の室内の床面と垂直壁面とが合う角部位の構造物及びこれを施工する方法に関し、より詳しくは、暖房効率を増大させて、層間の騒音を防止し、床に敷設される床シートの底面に湿気がたまることを防止し、悪臭や虫らの寄生を防止し、外観を美麗に飾ることができる建物の室内の角部位の構造物及び施工方法に関するものである。
【背景技術】
【０００２】
従来の建物の室内の角部位の施工方法は、床に基礎骨材、断熱材、暖房用パイプなどを敷いて、その上に仕上げ用モルタルを用いて水平を維持するように一定の厚さで施工するが、この際、仕上げ用モルタルを施工する過程において床の高さの設定基準が可視化していないので、床のモルタル層の縁部の施工が極めて困難するようになり、床面のモルタル層の厚さが不均一に施工されることになる。
【０００３】
また、壁面と床面とが触れ合う角部分を仕上げる作業が困難になり、モルタルが養生する過程でクラックが発生し、この隙間に悪臭の発生、または、虫の棲息処を提供する原因となった。
【０００４】
特許文献１は、床面の仕上げ用モルタル層を一定の厚さで水平、垂直で均等に施工することができ、床の床板または床シートの端部を隠して、床シートの端部がぴったり付くようにし、建物の角部位を美麗に飾ることができる効果がある。
【０００５】
しかし、スラブ床に軽量のコンクリートを使用して暖房用パイプを施工するので、施工期間が長くなり、層と層との間が連結される構造となっているので、騒音を遮断させることができない問題があった。
【０００６】
【特許文献１】大韓民国特許出願第２００２−１２９１４号明細書
【発明の開示】
【発明が解決しようとする課題】
【０００７】
本発明は、前記のような問題を解消するために案出したものであって、床面の水平を取るためのモルタル施工を削除するので、床面を簡便に施工できるようにすることをその目的とする。
【０００８】
本発明の又別の目的は、暖房用パイプの施工の際、軽量のコンクリートの使用を排除し、乾式施工を行うことにより、施工期間を短縮して、層間の騒音の伝達を遮断できるようにすることにある。
本発明の又別の目的は、床面の施工の際、仕上げ用モルタルを使用しないので施工が容易であり、結露現状により床面から発生する湿気が除去できるようにして、黴等のような微生物の寄生を防止して使用者の健康を維持できるようにすることにある。
【０００９】
本発明の又別の目的は、床面に空間を形成して層間の騒音を減らし、熱媒体から発散する熱を対流現状により伝達するので、均等に暖房できるようにすることにある。
【００１０】
本発明の又別の目的は、水脈波防止板を容易に設置できるようにし、下部から結露現状により発生する湿気を除去できるようにすることにある。
【課題を解決するための手段】
【００１１】
前記の目的の達成のための本発明は、床の施工が乾式施工方法により施工されるものであって、所定の間隔で複数の主ブラケットが壁面に固定設置され、前記主ブラケットの前面には補助ブラケットが設けられ、前記補助ブラケットの前面には角枠が設けられ、前記角枠の上部には石膏ボードが設けられ、前記角枠の前面には第１フレームが設けられるとともに上面には層間断熱消音材が設けられ、前記第１ブラケットの上面には、両側面に結合具を有し、中央突出部にプレート結合部を有する第２フレームが設けられ、前記第２フレームの上面には暖房用パイプ及び床材が設けられ、前記床材の上面には水脈波防止板及び床上板が設けられ、角枠の前面に仕上げ枠が固定されることを特徴とする。
【発明の効果】
【００１２】
前記のように、本発明によると、床面及び壁面の施工を容易にし、結露現状により床面に発生する湿気を除去できるようにして、黴等のような微生物の寄生を防止して使用者の健康を維持できるようにし、熱伝達媒体である暖房用パイプから発散する熱が対流現状により伝導されるので、全体的に暖房が行われるものであり、床面と床上板との間に空間を形成することにより、床上板から発生する騒音が床面に直接伝導されないので、騒音の伝達を防止することになって、層間の騒音を低減することになる。
【発明を実施するための最良の形態】
【００１３】
以下に添付図面を参照しながら、本発明の好適な実施形態について詳細に説明する。なお、本明細書及び図面において、実質的に同一の機能構成を有する構成要素については、同一の符号を付することにより重複説明を省略する。
【００１４】
まず、添付の図１及び図２を参照して本実施形態の構成を説明すると、所定の間隔で複数の主ブラケット１０を壁面Ｂに固定するように設けた後、前記主ブラケット１０の前面には補助ブラケット１５が設けられ、前記補助ブラケット１５の前面には角枠２０が設けられ、前記角枠２０の上部には石膏ボードＥが設けられ、前記角枠２０の前面には第１フレーム３５が設けられ、前記第１フレーム３５の上面には、両側面に結合具を有し、中央突出部に後述するプレート結合部を有する第２フレーム５０が設けられ、前記第２フレーム５０の上面には暖房用パイプ４８及び床材６０が設けられ、前記床材６０の上面には炭マット６７、水脈波防止板４０及び床上板７０が設けられて床面を施工し、床の施工が完了した後には角枠２０の前面に仕上げ枠２６を固定したものである。
【００１５】
前記主ブラケット１０は、後面が平面になり、かつ壁面Ｂと密着し、壁面Ｂに固定用ボルト１３を用いて固定し、前面の上下部には中央に雌ねじを具備した雄ネジ１１が突出し、前記雄ネジ１１には外周面がナーリング加工された垂直調整用ナット１２が設けられ、前記垂直調整用ナット１２の前面には角枠２０を固定させるための補助ブラケット１５がボルト１６により固定され、前記補助ブラケット１５の下側には、角枠２０を支えるための支持突片１７が形成され、前記支持突片１７の先端には、上部に折曲げられた係止段１９（図１２参照）が形成されている。
【００１６】
前記角枠２０は、金属材からなり、シャーシのように一定の型によって連続的に生産可能なものであって、石膏ボードＥを挿入するために所定の間隔だけ離隔したプレートが複数の補強材により連結され、前方プレートの上面は前方に折曲部２２が伸張され、後面プレートは平面で構成されており、前記仕上げ枠２６は表面が美装されており、前面の下側に伸びた突出部２７の後部に形成され、これが角枠２０の折曲部２２に係合されるようにし、中間には固定溝２８が形成され、これに前記角枠２０の突出段２４が挟まれるようにする。
【００１７】
上記のように構成される本実施形態の施工方法を説明すると次の通りである。
【００１８】
建物の基礎床骨材上に壁面を立設、積層する等の施工は従来の通りである。
【００１９】
上記のような室内構造物積層工事が完了した後、図３ａに示すように、主ブラケット１０を壁面の最下端から四方に一定の高さを維持するように固定用ボルト１３で固定し、前面に補助ブラケット１５を設けることになる。この際、主ブラケット１０から突出した雄ネジ１１に垂直調整用ナット１２を結合した後、図３ｂに示すように（図１２も参照）、ボルト１６が補助ブラケット１５の長孔１８を貫通して、前記雄ネジ１１の中央に形成された雌ねじ（図示せず。）に結合すると、補助ブラケット１５は主ブラケット１０に固定される。
【００２０】
この際、補助ブラケット１５は、壁面に対して平行になるように（図３ｂ参照）設置しなければならなく、補助ブラケット１５が床面に対して垂直になるように、主ブラケット１０の上、下部に設けられた垂直調整用ナット１２を用いて調節することになる。この際、水平などの補助器具を用いて、補助ブラケット１５が床面に対して垂直になるかどうかを確認した後、垂直にならなかった場合、垂直調整用ナット１２を用いて垂直に調整することになるが、垂直調整用ナット１２は外径が大きく、外周面がナーリング加工されているので、容易に緩めるか締め付ける方向に回転することができ、垂直調整用ナット１２のねじを緩めるか締め付けると、垂直調整用ナット１２が雄ねじに螺合されながら前後に移動するので、補助ブラケット１５の垂直を合せることができることになる。
【００２１】
上記のような方法により、一側の補助ブラケット１５の垂直を合せた後には、前面に突出する支持突片１７に角枠２０を合せて組立てることになる。この際、図３ｃに示すように、角枠２０の後方プレートの下面を補助ブラケット１５の支持突片１７に載せた後、角枠２０の上側を壁側に押し付けて密着させた後、上部にボルト２５を組立てると、図３ｄに示すように、角枠２０が補助ブラケット１５に組立てられる。
【００２２】
この際、角枠２０が水平をなしているかどうかを確認した後、水平になっていない場合には、これを修正して水平をなすように調整することになる。この際、補助ブラケット１５を結合するための孔は、図１２に示すように、上下方向に長い長孔１８に形成されているので、この長孔１８を用いて、補助ブラケット１５を上下に移動しながら、角枠２０が水平をなすように調整することになる。
【００２３】
上記のように、角枠２０を水平に調節して合せた後には、図３ｅ及び図３ｆに示すように、第１フレーム３５を設けることになる。前記第１フレーム３５は、図４に示すように、長手方向に長く形成された第１フレーム３５を所定の長さで切断して使用するもので、下部の底面プレート３６の中央から上部に伸張したリブ３９の中間には、断熱材支持突条３７がリブ３９に対して水平に形成されており、下部の底面プレート３６には所定の間隔で孔３８が形成されているので、アンカーボルト３０を設けることができるようにした（図１参照）。
【００２４】
上記の第１フレーム３５を設ける過程は、第１フレーム３５の両端部（図３ｅ参照）を角枠２０の係止段２１に載せた状態で、第１フレーム３５の中間に撓みが発生すると、これを矯正するために、図３ｆに示すように、中間にアンカーボルト３０を用いて水平を維持するようにする。
【００２５】
この際には、まず、床のアンカーボルト３０に螺合されたナット３１及びパッキング３２ａの上面に第１フレーム３５の下端の底面プレート３６に形成された孔３８にアンカーボルト３０を挿入した後、ナット３１を組立て、その上面にパッキング３２ａを載せ、前記底面プレート３６の上面にもゴムパッキング３２ｂを挿入した後、ナット３４で締め付けると、第１フレーム３５がアンカーボルト３０に強固に固定されるもので、第１フレーム３５が水平を維持するようにナット３１，３４を回しながら調整するものである。ここで、パッキング３２ａ、ゴムパッキング３２ｂは緩衝の役割をする。
【００２６】
以後、前記第１フレーム３５の断熱材支持突条３７（図４参照）に層間断熱消音材を施工した後、第２フレーム５０を施工することになる。前記第２フレーム５０は、図５に示すように、長手方向に長く形成されたものを所定の長さで切断して使用するものであって、床プレート５２の中央で突出したリブの両面に突設される床材結合部が形成され、前記床材結合部の一側の突出部５５は曲がっており、他側は２つの突出部５７、５９間に溝５８が形成され、これに床材６０が挿入されるように形成され、前記二つの突出部５７、５９と同一方向に折曲げられた折曲部５５ａが形成されている。
【００２７】
前記第２フレーム５０を施工する工程は、図６ａに示すように、一側の第２フレーム５０を設置した後、他の第２フレーム５０を連続的に結合して連結する。この際、図６ａに示すように、一側の第２フレーム５０を設置した後、第２フレーム５０の一側に形成された溝５１に他の第２フレーム５０の他側突出部５３を挿入した後、図６ｂに示すように、他側を下げると、第２フレーム５０の下部の溝５４に突出部５６が挿入されて、上下左右に遊動しないように組立てられる。以後、上面にボルト４４で結合すると（図３ｇ参照）、ブラケットの施工が完了する。
【００２８】
以後、図３ｈに示すように、熱伝達媒体である暖房用パイプ４８を施工し、ついで、図３ｉに示すように、床材６０を組立てることになる。この際、第２フレーム５０の中央突出部の上面に形成された突出部５７、５９間の溝５８に床材６０の突出部６１を挿入して挿入することで組立が完了するものである。
【００２９】
以後、図３ｊに示すように、前記床材６０の上面に炭マット６７及び水脈波防止板４０を施工することになる。炭マット６７は単純なマット形態の敷板を床材６０の上面に敷くことで、不純物を防止し、遠赤外線の放出により健康増進を図るためのものであり、水脈波防止板４０は水脈派を防止するためのものである。これらの設置は、図７及び図８に示すように、例えば横と縦の比率が２:１の長方形をなし、表面に一定の間隔でエンボス加工によって凹部を形成し、端部には、
“
2006037711.tif 000001
”
形のように、上面から下側に折曲げられる折曲面と、前記折曲面から側面に延びる延長部と、前記延長部の先端から上向きに折曲げられる係止部を形成し、さらに前記係止部の最上端は銅板の上面より銅板の厚さだけ低い位置を有するようにする。
【００３０】
上記のように構成される本実施形態は、図８に示すように、水脈波防止板４０を室内の床に施工するためには、まず、室内の壁面と接触するように水脈波防止板４０を側面に連続的に配列して敷設することになる。この際、第１の水脈波防止板４０の側面に形成された係止部４７に第２の水脈波防止板４０の掛かり部４５が掛かれるようにして、連続的に配置することになると、掛かり部４５の内面が係止部４７に係止されて側面に移動できない状態となる。
【００３１】
上記のように、水脈波防止板４０が一列に配置された状態で、前方に水脈波防止板４０を配列することになる。この際、図９ａに示すように、水脈波防止板４０の後方に突出する２つの掛かり部４５を２つの水脈波防止板４０を連結するように孔に挿入した後、図９ｂに示すように、前方を下げると、掛かり部４５は係止部４７に挿入されることにより前方に離脱できなく、掛かり部４５が孔に挿入された状態であるので、左右に遊動しないで床の施工が完了するものである。
【００３２】
以後、図３ｋに示すように、水脈波防止板４０の上面に床上板７０を組立てることになる。この際、床上板７０の一側に形成された溝７２（図１１参照）に第２フレーム５０の上面の折曲部５５ａと床上板７０の突出部７１が共に挿着されることで組立が完了して、床の施工が完了する。
【００３３】
このように床上板７０を施工する過程において、床上板７０の一側に形成された溝７２に第２フレーム５０の上側折曲部５５ａがともに結合して遊動できないように固定されるので、床上板７０を固定するための別途のボンディング作業が不要で作業性を向上させ、作業者がボンドの有害成分に露出されることを事前に防止することができるものである。
【００３４】
その後、角枠２０の前面に仕上げ枠２６を組立てることで角部の施工が完了するもので、仕上げ枠２６の下部に突出する突出部２７の後部の固定溝２８に角枠２０の前方に突出した折曲部２２が差し込まれて結合されるものである。この際、角枠２０の折曲部２２の後方の突出段２４が仕上げ枠２６の固定溝２８に堅く固定結合される（図３ｋ参照）。
【００３５】
上記のように施工した状態では、地層から放射する水脈波を遮断する水脈波防止板４０により、水管の熱が銅板全体に伝導されるので、暖房の効果が増大するだけでなく、地下の水脈から発生する、人体に有害な振動波を遮断することになり、さらに前記水脈波防止板４０は、銅または銅合金から構成されているので、空気中のＣＯ２、ＳＯ２及び水分などの作用により、塩基性炭酸銅［ＣＵＣＯ３・ＣＵ（ＯＨ）２］、塩基性硫酸銅［ＣＵＳＯ４・ＣＵ（ＯＨ）２］等を発生することになり、その過程で発生する酸成分が抗菌性を有するので、微生物の発生を抑制する役割をし、床面で発生する湿気は蒸発して水脈波防止板４０の屈曲面間の空間を通じて外部に排出される。
【００３６】
前記のように、本実施形態によると、床の四方に設けられた仕上げ枠２６の下部表示部により四方の水平高が一定になるので、床の水平状態を別途の道具なしに維持することができ、床板の端部が仕上げ枠２６の底部の凹溝部に挿入されるので、床上板７０の設置が容易であり、その仕上げもきれいにすることができる。
【００３７】
また、壁面と床面が固定枠によって分離されており、角枠２０と壁面との間には空間が形成されるので、床の湿気、悪臭などはこの空間に流入し、角枠２０の通気孔を通じて排出されるので、室内には悪臭が生じなく、床上板７０の底面にも湿気が発生しなく、微生物の発生を抑制するものである。
【００３８】
以上、添付図面を参照しながら本発明の好適な実施形態について説明したが、本発明はかかる例に限定されない。当業者であれば、特許諾求の範囲に記載された技術的思想の範疇内において各種の変更例または修正例に想到し得ることは明らかであり、それらについても当然に本発明の技術的範囲に属するものと了解される。
【産業上の利用可能性】
【００３９】
本発明は、建物の室内の床面と垂直壁面が合う角部位の構造物及びこれを施工する方法に利用可能である。
【図面の簡単な説明】
【００４０】
【図１】本発明の一実施形態を示す説明図である。
【図２ａ】本発明の一実施形態を示す断面図である。
【図２ｂ】本発明の一実施形態の交叉させた角度の断面図である。
【図３ａ】本発明の実施工程を示す工程図である。
【図３ｂ】本発明の実施工程を示す工程図である。
【図３ｃ】本発明の実施工程を示す工程図である。
【図３ｄ】本発明の実施工程を示す工程図である。
【図３ｅ】本発明の実施工程を示す工程図である。
【図３ｆ】本発明の実施工程を示す工程図である。
【図３ｇ】本発明の実施工程を示す工程図である。
【図３ｈ】本発明の実施工程を示す工程図である。
【図３ｉ】本発明の実施工程を示す工程図である。
【図３ｊ】本発明の実施工程を示す工程図である。
【図３ｋ】本発明の実施工程を示す工程図である。
【図４】本発明に使用される第１フレームの斜視図である。
【図５】本発明に使用される第２フレームの斜視図である。
【図６ａ】本発明に使用される第２フレームの設置例を示す説明図である。
【図６ｂ】本発明に使用される第２フレームの設置例を示す説明図である。
【図７】本発明に使用される水脈波防止板を示す説明図である。
【図８】本発明に使用される水脈波防止板の要部拡大断面図である。
【図９ａ】本発明に使用される水脈波防止板の設置状態を示す説明図である。
【図９ｂ】本発明に使用される水脈波防止板の設置状態を示す説明図である。
【図１０】本発明に使用される角枠を示す説明図である。
【図１１】本発明に使用される床上板を示す説明図である。
【図１２】本発明に使用される補助ブラケットを示す説明図である。
【符号の説明】
【００４１】
１０    主ブラケット
１１    雄ネジ
１２    垂直調整用ナット
１３    固定用ボルト
１５    補助ブラケット
１６，２５，４４    ボルト
１７    支持突片
１８    長孔
１９，２１    係止段
２０    角枠
２２，５５ａ    折曲部
２４    突出段
２６    仕上げ枠
２７，５３，５５，５６，５７，５９，６１，７１    突出部
２８    固定溝
３０    アンカーボルト
３１，３４    ナット
３２ａ    パッキング
３２ｂ    ゴムパッキング
３５    第１フレーム
３６    底面プレート
３７    断熱材支持突条
３８    孔
３９    リブ
４０    水脈波防止板
４５    掛かり部
４７    係止部
４８    暖房用パイプ
５０    第２フレーム
５１，５４，５８，７２    溝
５２      床プレート
６０    床材
６７    炭マット
７０    床上板
【手続補正３】
【補正対象書類名】図面
【補正対象項目名】全図
【補正方法】変更
【補正の内容】
【図１】
2006037711.tif 000002
【図２ａ】
2006037711.tif 000003
【図２ｂ】
2006037711.tif 000004
【図３ａ】
2006037711.tif 000005
【図３ｂ】
2006037711.tif 000006
【図３ｃ】
2006037711.tif 000007
【図３ｄ】
2006037711.tif 000008
【図３ｅ】
2006037711.tif 000009
【図３ｆ】
2006037711.tif 000010
【図３ｇ】
2006037711.tif 000011
【図３ｈ】
2006037711.tif 000012
【図３ｉ】
2006037711.tif 000013
【図３ｊ】
2006037711.tif 000014
【図３ｋ】
2006037711.tif 000015
【図４】
2006037711.tif 000016
【図５】
2006037711.tif 000017
【図６ａ】
2006037711.tif 000018
【図６ｂ】
2006037711.tif 000019
【図７】
2006037711.tif 000020
【図８】
2006037711.tif 000021
【図９ａ】
2006037711.tif 000022
【図９ｂ】
2006037711.tif 000023
【図１０】
2006037711.tif 000024
【図１１】
2006037711.tif 000025
【図１２】
2006037711.tif 000026